(57)【要約】物品保管情報表示装置は、収納棚の前面に取り付けられ、収納される物品の保管情報を表示する。本装置は、配線ダクトと、この配線ダクトの表面上に長手方向に沿って所定間隔を空けて設けられており、溝部を有する係合部と、この溝部内に設けられた導体とからなる配線レールと、この配線レールに取付けられるユニットベースと、このユニットベース上方に配線基板と保管情報を表示する表示部とが順に設けられた一体的構造をなす表示ユニットとからなる。配線レールは、設置状態では、少なくとも２つの溝部の開口部が下方を向く。この溝部内に導体が収容される。ユニットベースは係合部を介して配線レールに着脱可能な着脱構造を有するとともに、この着脱動作を介して、導体と配線基板との電気的接続のオン／オフがなされる。
2003020085.tif 000002
【特許請求の範囲】
【請求項１】
収納棚の前面に取り付けられ、収納される物品の保管情報を表示する装置であって、
配線ダクトと、この配線ダクトの表面上に長手方向に沿って所定間隔を空けて設けられており、溝部を有する係合部と、この溝部内に設けられ、電気信号を伝達するための導体とからなる配線レールと、この配線レールに取付けられるユニットベースと、このユニットベース上方に設けられた上記保管情報を表示するための回路を備えた配線基板と、この配線基板上方に設けられた上記保管情報を表示する表示部とが一体的構造をなす表示ユニットとからなり、
上記配線レールは、設置状態では、少なくとも２つの上記溝部の開口部が下方を向くよう形成されており、この開口部が下方を向くよう形成された溝部内に上記導体が収容されているとともに、
上記ユニットベースは、上記係合部を介して配線レールに着脱可能な着脱構造を有するとともに、この着脱動作を介して、上記導体と配線基板との電気的接続のオン／オフがなされることを特徴とする物品保管情報表示装置。
【請求項２】
上記着脱構造は、上記ユニットベースが、上記係合部を介して上記表示ユニットを配線レールに支持した状態で回転可能とするととともに、所定の回転角度の回転に追従して上記配線レールに固定される回転支持部を備えており、この回転支持部を介して当該表示ユニットを上記配線レールに沿う位置まで回転させることにより、表示ユニットと配線レールとが強制的なロック状態とされるとともに、上記導体と配線基板との電気的接続がなされ、このロック状態の表示ユニットを回転させることにより、当該ロック状態および電気的接続が解除されるよう構成されていることを特徴とする請求の範囲第１項記載の物品保管情報表示装置。
【請求項３】
上記着脱構造は、上記ユニットベースが、上記所定間隔内の係合部間に嵌まり込む当該係合部間の間隔と等しい高さの平行四辺形の断面形状を有するガイド凸部を有し、この平行四辺形の高さ方向が当該ユニットベースの端部に対して傾斜して配置されているとともに、上記係合部の溝部内に嵌まり込む係止部を備えており、上記ガイド凸部を当該係合部間に嵌め込んだ後、このガイド凸部を介して上記表示ユニットを配線レールに沿った状態まで回転することにより、上記係止部が上記溝部内に嵌まり込み、上記表示ユニットと配線レールとが強制的なロック状態とされるとともに、上記導体と配線基板との電気的接続がなされ、このロック状態の表示ユニットをこの状態から上記ガイド凸部が外される位置まで回転させることにより、当該ロック状態および電気的接続が解除されるよう構成されていることを特徴とする請求の範囲第１項記載の物品保管情報表示装置。
【請求項４】
上記ユニットベースには、上記ロック状態で係合部間に着脱可能に嵌まり込むガイドバネが設けられていることを特徴とする請求の範囲第１項乃至第３項のいずれかに記載の物品保管情報表示装置。
【請求項５】
収納棚の前面に取り付けられ、収納される物品の保管情報を表示する装置であって、
配線ダクトと、この配線ダクトの表面上に長手方向に沿って所定間隔を空けて設けられており、溝部を有する係合部と、この溝部内に設けられ、電気信号を伝達するための導体とからなる配線レールと、この配線レールに取付けられるユニットベースと、このユニットベース上方に設けられた上記保管情報を表示するための回路を備えた配線基板とこの配線基板上方に設けられた保管情報を表示する表示部とが一体的構造をなすユニット本体とからなる表示ユニットからなり、
上記配線レールは、設置状態では、少なくとも２つの上記溝部の開口部が下方を向くよう形成され、この開口部が下方を向くよう形成された溝部内に上記導体が収容されており、上記ユニット本体とユニットベースとは、互いの端部に設けられた回転軸を介して開閉自在とされており、このユニットベースには、上記係合部に嵌まり込む係止部を備えた支持開口部と接続端子を備えた接続開口部とが設けられており、上記ユニット本体には、これらのそれぞれの開口部に対応する位置にリブが形成されているとともに、上記ユニット本体が閉じられた状態では、上記各リブが各開口部に挿入されることにより、上記表示ユニットが係合部を介して配線レールに強制的なロック状態とされ、かつ、上記導体と配線基板との電気的接続がなされることを特徴とする物品保管情報表示装置。
【請求項６】
上記保管情報はコンピュータから送信されるとともに、上記表示部近傍には、コンピュータに送信可能なデータを送信するための入力部が設けられていることを特徴とする請求の範囲第１項乃至第５項のいずれかに記載の物品保管情報表示装置。
【発明の詳細な説明】
技術分野
本発明は、部材や物品などを収容する収納棚の前面にその部材や物品などの保管情報を表示するための物品保管情報表示装置に関する。
背景技術
従来、部材を保管する保管庫等に設置された収納棚の前面に取り付けられるピッキング用の表示装置がある。例えば、本出願人は、特開平１０−１７７３５３号公報に記載の表示装置を提案している。この表示装置には、基板部とその両縁に沿って形成された係合部が設けられており、この基板部の表面に長手方向に沿って電気信号等を伝達するテープ状の導電体が少なくとも２本以上平行に設けられたほぼ平板状の配線ダクトベースと、表示ユニットが設けられている。この表示ユニットは、表示部を有しており、この表示部の両縁より取付片が相対向して延設され、その先端に係止部を有した構造となっている。また、表示ユニットの裏面には、表示部の接続端子が突設されている。この表示装置では、表示ユニットの係止部を配線ダクトベースの係合部に係合させることにより、表示ユニットが配線ダクトベースの前面に取り付けられる。また、表示部の接続端子が配線ダクトベースのテープ状の導電体に接触し、表示部がこの導電体に電気的に接続されるようになっている。
この技術では、表示ユニットが取り付けられた配線ダクトベースの前面部分以外の配線ダクトベースの前面には、ダクトカバーが設けられており、露出した状態のテープ状の導電体を覆うようになっている。従って、表示装置を設置する際には、先ず、配線ダクトベースの所定位置に表示ユニットを取付けた後、カバーすべき配線ダクトベースの長さ寸法を計測し、その長さ寸法のダクトカバーを適宜切断して配線ダクトベースに取り付ける。このように、従来の技術では、テープ状の導電体を覆うためのダクトカバーを、表示ユニットの位置に応じて準備し、取付け作業を行なわなければならない。こうした作業は、煩雑であり、容易とは言いがたい。
また、表示ユニットの係止部を基板部の係合部に嵌合させることにより、基板部に設けられたテープ状の導電体に、接続端子を接続させるようになっている。このため、嵌合誤差によっては、接続端子の接触力に強弱が起こり、接触不良を起こす可能性もある。
本発明は、これらの従来技術における不具合を解消し、表示ユニットの設置を容易にするとともに、電気的接続を確実に行なうことができる物品保管情報表示装置を提供することを目的とする。
発明の開示
上記課題を解決するため、本願請求項１に対応する物品保管情報表示装置は、収納棚の前面に取り付けられ、収納される物品の保管情報を表示する装置であって、配線ダクトと、この配線ダクトの表面上に長手方向に沿って所定間隔を空けて設けられており、溝部を有する係合部と、この溝部内に設けられ、電気信号を伝達するための導体とからなる配線レールと、この配線レールに取付けられるユニットベースと、このユニットベース上方に設けられた上記保管情報を表示するための回路を備えた配線基板と、この配線基板上方に設けられた上記保管情報を表示する表示部とが一体的構造をなす表示ユニットとからなり、上記配線レールは、設置状態では、少なくとも２つの上記溝部の開口部が下方を向くよう形成されており、この開口部が下方を向くよう形成された溝部内に上記導体が収容されているとともに、上記ユニットベースは、上記係合部を介して配線レールに着脱可能な着脱構造を有するとともに、この着脱動作を介して、上記導体と配線基板との電気的接続のオン／オフがなされることによって特徴付けられる。
以上の構成により、設置状態では、配線レールに形成された導体を収容する溝部は下方を向いた状態とされるので、導体がホコリなどに晒されることがなく、ホコリなどによる導体の短絡や接触不良の原因を排除できる。また、表示ユニットは、配線レールの任意の位置に着脱自在とされ、設置や取外しを個別に行なうことができる。また、この設置動作に伴い、導体と配線基板との電気的接続も確実に行なわれる。
この物品保管情報表示装置において、上記着脱構造は、上記ユニットベースが、上記係合部を介して上記表示ユニットを配線レールに支持した状態で回転可能とするととともに、所定の回転角度の回転に追従して上記配線レールに固定される回転支持部を備えており、この回転支持部を介して当該表示ユニットを上記配線レールに沿う位置まで回転させることにより、表示ユニットと配線レールとが強制的なロック状態とされるとともに、上記導体と配線基板との電気的接続がなされ、このロック状態の表示ユニットを回転させることにより、当該ロック状態および電気的接続が解除されるよう構成されていてもよい。（本願請求項２）
この構成では、着脱動作は回転支持部を介して行なわれ、表示ユニットを回転させることにより、回転支持部における強い圧着力で容易にロック状態あるいはアンロック状態とされる。このロック状態において、導体と配線基板との電気的接続が確実にかつ強制的に行なわれる。
また、上記着脱構造は、上記ユニットベースが、上記所定間隔内の係合部間に嵌まり込む当該係合部間の間隔と等しい高さの平行四辺形の断面形状を有するガイド凸部を有し、この平行四辺形の高さ方向が当該ユニットベースの端部に対して傾斜して配置されているとともに、上記係合部の溝部内に嵌まり込む係止部を備えており、上記ガイド凸部を当該係合部間に嵌め込んだ後、このガイド凸部を介して上記表示ユニットを配線レールに沿った状態まで回転することにより、上記係止部が上記溝部内に嵌まり込み、上記表示ユニットと配線レールとが強制的なロック状態とされるとともに、上記導体と配線基板との電気的接続がなされ、このロック状態の表示ユニットをこの状態から上記ガイド凸部が外される位置まで回転させることにより、当該ロック状態および電気的接続が解除されるよう構成されていてもよい。（本願請求項３）
この構成では、着脱動作はガイド凸部を介してユニットベースを嵌め込んだ後、表示ユニットを回転させることにより、ガイド凸部における強い圧着力で容易にロック状態あるいはアンロック状態とされる。このロック状態において、導体と配線基板との電気的接続が確実にかつ強制的に行なわれる。
上記構成において、ユニットベースには、上記ロック状態で係合部間に着脱可能に嵌まり込むガイドバネが設けられていることが好ましい（本願請求項４）。
この構成を採用すれば、表示ユニットは配線レールにさらに強固にロックされた状態となる。
また、本願請求項５に対応する物品保管情報表示装置は、収納棚の前面に取り付けられ、収納される物品の保管情報を表示する装置であって、配線ダクトと、この配線ダクトの表面上に長手方向に沿って所定間隔を空けて設けられており、溝部を有する係合部と、この溝部内に設けられ、電気信号を伝達するための導体とからなる配線レールと、この配線レールに取付けられるユニットベースと、このユニットベース上方に設けられた上記保管情報を表示するための回路を備えた配線基板とこの配線基板上方に設けられた保管情報を表示する表示部とが一体的構造をなすユニット本体とからなる表示ユニットからなり、上記配線レールは、設置状態では、少なくとも２つの上記溝部の開口部が下方を向くよう形成され、この開口部が下方を向くよう形成された溝部内に上記導体が収容されており、上記ユニット本体とユニットベースとは、互いの端部に設けられた回転軸を介して開閉自在とされており、このユニットベースには、上記係合部に嵌まり込む係止部を備えた支持開口部と接続端子を備えた接続開口部とが設けられており、上記ユニット本体には、これらのそれぞれの開口部に対応する位置にリブが形成されているとともに、上記ユニット本体が閉じられた状態では、上記各リブが各開口部に挿入されることにより、上記表示ユニットが係合部を介して配線レールに強制的にロック状態とされ、かつ、上記導体と配線基板との電気的接続がなされことによって特徴付けられる。
この構成では、ユニット本体の開閉によって、容易にロック状態あるいはアンロック状態とされる。このロック状態において、導体と配線基板との電気的接続が確実に行なわれる。また、設置状態では、配線レールに形成された導体を収容する溝部は下方を向いた状態とされるので、導体がホコリなどに晒されることがなく、ホコリなどによる導体の短絡や接触不良の原因を排除できる。
さらに、上記構成において、上記保管情報はコンピュータから送信されるとともに、上記表示部近傍には、コンピュータに送信可能なデータを送信するための入力部が設けられていてもよい。
この構成では、作業者側からコンピュータへ情報を送信することができ、双方向のデータ送信によって、作業支援を的確に行なうための手段とすることができる。
発明を実施するための最良の形態
以下、本発明をより詳細に説明するために、添付の図面に従ってこれを説明する。
＜第１の実施形態＞
第１図は、本発明にかかる好ましい物品保管情報表示装置の第１の実施形態の外観を示す斜視図であり、設置状態を示す。第２図は、この実施形態における表示ユニットの側面図である
第３図および第４図は、それぞれ第１の実施形態におけるロックが解除された状態、ロック状態を示す。
第５図、第６図、第７図は、それぞれ第４図におけるＣ−Ｃ断面図、Ａ−Ａ断面図、Ｂ−Ｂ断面図である。
この物品保管情報表示装置１０は、配線レール２と表示ユニット３からなる。
配線レール２は、長手方向に延びる配線ダクト２０と、この配線ダクト２０の短手方向の両端部が両縁に沿って同方向に折り返され、長手方向に沿って角溝部２２０が形成された係合部２２とからなり、この係合部２２の角溝部２２０内はテープ状の導体２１、２１が設けられている。これら長手方向に延びる２つの係合部２２の角溝部２２０の開口方向はともに、同方向を向き、設置状態では、下方を向く。従って、配線レール２が設置された状態では、導体２１がホコリなどに晒されることがなく、ホコリなどによる導体の短絡や接触不良の原因を排除できるようになっている。
配線レール２は、パイプカッターやラチェットカッター等の通常のハサミで容易に切断できるとともに、電気絶縁性に優れ、難燃性を有する硬質塩化ビニル樹脂等の合成樹脂材料から形成される。
また、導体２１によって、コンピュータなどの外部装置（図示せず）と後述する表示ユニット３の配線基板４１との電気的接続が行なわれる。これにより、外部装置と表示ユニット３間の電気信号の授受が可能となる。
表示ユニット３は、この配線レール２に取付けられ、第２図に示すように、配線レール２に直接着脱するための構造を有するユニットベース３１と、このユニットベース３１の上方に設けられ、コンピュータからの保管情報を表示するための回路を備えた配線基板４１と、この配線基板４１の上方に設けられ、保管情報を表示する表示器を含む表示部４２とが一体的構造をなすようアセンブリーされている。
ユニットベース３１は、係合部２２を介して配線レール２に着脱可能な保持構造を有するとともに、この着脱動作により、導体２１と配線基板４１との電気的接続のオン／オフがなされる。この物品保管情報表示装置１０に適用されているユニットベース３１の着脱構造は、第１図および第３図〜第５図に示すように、表示ユニット３を係合部２２を介して配線レール２に支持された状態で回転可能な回転支持部４３と、所定間隔をあけた係合部２２間に嵌まり込む凸状の樹脂バネからなるガイドバネ４４とからなる。回転支持部４３は、係合部２２、２２を介して配線レール２に嵌まり込む回転基台４３１と、この回転基台４３１に支持されるとともに、表示ユニットの回転動作に追随して回転する回転ロック部材４３２によって構成されている。
この表示ユニット３のロック／アンロック機構をさらに詳細に説明する。
まず、第３図に示すように、表示ユニット３を配線レール２に対し直角（θ１＝９０度）となるように配置するとともに、回転支持部４３の回転基台４３を配線レール２の係合部２２を介して配線レール２に嵌め込み、回転基台４３１を固定させた状態で矢符Ｘの方向に表示ユニット３を９０度回転させることにより、回転ロック部材４３２はこの表示ユニット３の回転動作に追随して９０度回転し、回転基台４３１に固定される。この状態で回転支持部４３は配線レール２にロックされた状態となる。
一方、第７図に示すように、上記ロック動作と同じタイミングで、ガイドバネ４４は係合部２２間に嵌まり込む。これにより、表示ユニット３は配線レール２により強固に強制的にロックされた状態となる。
以上の構造によるロック状態では第６図に示すように、配線基板４１の入力端子９１と導体２１とは、ユニットベース３１に予め設けられている端子プレート９２を介して確実に強制的に電気的接続がなされる。このようにし表示ユニット３が配線レール２にロックされた状態では、コンピュータからの電気信号の受信が可能になり、受信した保管情報は表示部４２の表示器（図示せず）に表示される。
以上のように、本実施形態では、設置状態では、配線レール２に形成された導体２１を収容する角溝部２２０は下方を向いた状態とされるので、導体２１がホコリなどに晒されることがなく、ホコリなどによる導体の短絡や接触不良の原因を排除できる。従来のように、ホコリなどを防ぐために、配線レール２にカバーを別途取り付ける必要はない。そして、配線レール２の所定の箇所に、随時表示ユニットを嵌め込むことにより、簡単かつ確実に強制的なロック状態とすることができるとともに、導体２１と配線基板４１との電気的接続も確実にかつ強制的になされる。設置作業においても、本物品保管情報表示装置１０では、表示ユニット３のみの取り付け／取り外しでよく、作業は簡略化され、効率的に行なわれる。
従来では、１本の配線レール上に設置された表示ユニットやカバーを全て外した後、新たに表示ユニットを設置し、さらに、表示ユニット間の隙間を計測して新たにカバーを準備して設置するといった煩雑な作業を行なっていたが、本物品保管情報表示装置１０では、そのような煩雑な作業を行う必要がない。
＜第２の実施形態＞
第８図は、本発明にかかる好ましい物品保管情報表示装置の第２の実施形態の外観を示す斜視図であり、設置状態を示す。第９図および第１０図は、それぞれ第２の実施形態のロック状態およびロックが解除された状態を示す図である。
第１１図（ａ）は第９図のＡ−Ａ断面図であり、同図（ｂ）は第９図のＢ−Ｂ断面図であり、同図（ｃ）は第９図のＣ−Ｃ断面図である。
第２の実施形態では、第１の実施形態とは表示ユニット３のユニットベースおよび配線レールの構造が異なる。
第２の実施形態の配線レール４の構造は、長手方向に延びる２本の係合部の構造がそれぞれ異なっている。一方の係合部２２は第１の実施形態と同じ構造であり、もう一方の係合部２３は、配線ダクト４０の短手方向の一方の端部近傍に形成された立ち上がりが両方に折り返された形状で、角溝部２３０、２３１がそれぞれに形成された構造となっている。また、同方向を向く角溝部２２０、２３０は、設置状態では下方を向き、これら角溝部２２０、２３０内に、コンピュータなどの外部装置（図示せず）と後述する表示ユニット５の配線基板５１との電気的接続を行なう導体２１が設けられている。これにより、第１の実施形態同様、表示ユニット５の配線基板４１との電気的接続を行ない、外部装置と表示ユニット５間の電気信号の授受が可能となる。また、配線レール４が設置された状態では、導体２１がホコリなどに晒されることがなく、ホコリなどによる導体の短絡や接触不良の原因を排除できるようになっている。
また、ユニットベース５１には、係合部２２、２３を介して配線レール４に着脱可能な構造として、ガイド凸部５５および係合凸部５６、５７、５８とガイドバネ５４とが形成されている。まず、ガイド凸部５５は、第１０図に示すように、断面形状が平行四辺形とされ、この平行四辺形の高さは、ユニットベース５１が、係合部２２および係合部２３の係合部間に嵌まり込む係合部間の間隔Ｘと等しい。また、この平行四辺形の底辺は、当該ユニットベースの縁端部に対して所定角度θ２傾斜して配置されている。さらに、ガイド凸部５５の近傍には、係合部２３に係合する板状の係合凸部５６および係合凸部５８と、係合部２２に係合する板状の係合凸部５７が形成されている。また、ユニットベース５１の長手方向の端部近傍には、係合部２２および係合部２３の係合部間に嵌まり込む突起状の樹脂バネからなるガイドバネ５４が形成されている。
次に、以上の構造のユニットベース５１を有する本実施形態のロック／アンロック機構を説明する。
まず、第１０図に示すように、ユニットベース５１を配線レール４に対しθ２傾けた状態で、ガイド凸部５５を係合部２２および係合部２３の係合部間に嵌め込み、矢符Ｚ方向に表示ユニット５を角度θ２だけ、回転させる（表示ユニットを配線レールに沿った状態まで回転する）ことにより、ガイド凸部５５にガイドされながら、係合凸部５６、５７、５８はそれぞれ対応する係合部２２あるいは係合部２３に嵌まり込み固定される。この固定動作時に、ガイドバネ５４を係合部２２および係合部２３の係合部間に嵌め込む。このような一連の動作により、表示ユニット５は配線レール４に強制的にロック状態とされるとともに、導体２１と配線基板４１との電気的接続が確実にかつ強制的になされる。第１１図（ａ）は入力端子９１と導体２１との電気的接続部分、同図（ｂ）は係合凸部５６を含む部分、同図（ｃ）はガイドバネ５４を含む部分のそれぞれロック状態における断面図である。同図（ａ）に示すように、この状態では入力端子９１と導体２１とは端子プレート９２を介して電気的に接続されるとともに、係合凸部５７は係合部２２に、係合凸部５８は係合部２３にそれぞれ嵌まり込み強制的にロック状態とされる。また、同図（ｂ）に示すように、係合凸部５６は係合凸部５８が嵌まり込む係合部２３の角溝部２３０とは反対の角溝部２３１に嵌まり込み、ロック状態をさらに強固とする構造になっている。そして、同図（ｃ）に示すように、ガイドバネ５４が係合部２２、２３間に嵌まり込むことにより、表示ユニット５全体が確実にかつ強制的にロック状態とされる。
以上のように、本実施形態では、設置状態では、配線レール４に形成された導体２１を収容する角溝部２２０、２３０は下方を向いた状態とされるので、導体２１がホコリなどに晒されることがなく、ホコリなどによる導体の短絡や接触不良の原因を排除でき、第１の実施形態と同様、従来のように、配線レール４にカバーを別途取り付ける必要はない。そして、配線レール４の所定の箇所に、随時表示ユニットを嵌め込むことにより、簡単かつ確実に強制的なロック状態とすることができるとともに、導体２１と配線基板４１との電気的接続も確実になされる。設置作業においても、第１の実施形態と同様、作業は簡略化され、効率的に行なわれる。
また、本実施形態では、表示ユニット５がロックされた状態では、コンピュータからの電気信号の受信が可能になる点も第１の実施形態と同様である。
＜第３の実施形態＞
第１２図は、本発明にかかる好ましい物品保管情報表示装置の第３の実施形態の外観を示す斜視図であり、設置状態を示す。
第１３図は、第１２図のＡ−Ａ断面図であり、同図（ａ）は配線レールからのロックが解除された状態、同図（ｂ）は配線レールにロックされた状態を示す。
第１４図は、第１２図のＢ−Ｂ断面図であり、ロック時における図である。第１５図は、第１２図のＣ−Ｃ断面図であり、同図（ａ）は配線レールからのロックが解除された状態、同図（ｂ）は配線レールにロックされた状態を示す。
この物品保管情報表示装置１２は、配線レール６と表示ユニット７からなる。
配線レール６は、長手方向に延びる配線ダクト６０と、この配線ダクト６０の短手方向の両端部が互いに向き合うように折り返され、長手方向に沿ってそれぞれ角溝部２２０、２５０が形成された係合部２２、２５と、配線ダクト６０の略中央部に形成された立ち上がりが係合部２５の方向に折り返され、角溝部２４０が形成された係合部２４を有している。また、係合部２２および係合部２４の角溝部２２０、２４０は同方向を向き、設置状態では下方を向く。この角溝部２２０、２４０内にはそれぞれテープ状の導体２１、２１が設けられている。この導体２１、２１は上記実施形態と同様、コンピュータなどの外部装置（図示せず）と後述する表示ユニット７の配線基板７４との電気的接続を行なう。これにより、外部装置と表示ユニット７間の電気信号の授受が可能となる。
また、配線レール４が設置された状態では、導体２１がホコリなどに晒されることがなく、ホコリなどによる導体の短絡や接触不良の原因を排除できるようになっている。
表示ユニット７は、第１２図に示すように、この配線レール６に取付けられ、配線レール６に直接着脱するための構造を有するユニットベース７１と、ユニット本体７２からなる。このユニット本体７２は、保管情報を表示するための回路を備えた配線基板７４と、この配線基板７４上方に設けられ、保管情報を表示する表示器を含む表示部が一体的に形成されている。また、このユニット本体７２は、ユニットベース７１に対し、ユニットベース端部に設けられた軸６１を介して開閉自在とされている。また、このユニット本体７２には、ユニット本体７２が閉じられた状態において、ユニットベース７１に形成された支持部９８及び導電部９９に対応する位置に、それぞれリブ７５、７６が形成されている。一方、ユニットベース７１には、リブ７５が挿入される支持部９８に２箇所の支持開口部７９が形成され、また、リブ７６が挿入される導電部９９に入力端子９４を備えた２箇所の接続開口部７８が形成されている。支持開口部７９は、第１５図に示すようにユニットベース７１を折り返すことにより、開口されており、その折り返し部分であるベース係合部７７が係合部２２、２４とリブ７５による外部からの押力によって強制的に係合される。一方、接続開口部７８には、第１３図に示すように、導体２１と配線基板７４との電気的接続を行なうための入力端子９４を介在させている。また、配線基板７４には、表示ユニット本体７が閉じた状態において、第１４図に示すように、この入力端子９４と密着する入力端子９３が設けられている。
第１２図に示すように表示ユニット本体７２が開かれた状態から矢符Ｙ方向に閉じることにより、アンロック状態からロック状態となる。
ロック状態において、導電部９９は第１３図（ｂ）に示すように、リブ７６が接続開口部７８に挿入されることにより、入力端子９４が導体２１と接続された状態となるとともに、第１４図に示すように、入力端子９４と入力端子９３が接続されることにより、導体２１と配線基板７４とが電気的に接続された状態となる。
また、支持部９８において、第１５図（ａ）に示すように、リブ７５が支持開口部７９に挿入されることにより、ベース係合部７７が係合部２２、２４にそれぞれ嵌め込まれた状態となり、ロック状態は構造的にもより強固となる。
本実施形態においても、支持部９８及び導電部９９の構成によって、確実かつ強制的なロック状態が実現される。
さらに、本実施形態の構造は、上記したように、表示ユニット本体７２を配線レール６の上面上方で開閉することにより、ロック／アンロック状態とすることができるので、物品保管情報表示装置１２の取付けあるいは取外しの際、表示ユニット本体７２の開閉空間を維持できる位置に配線レール６を設置すればよく、取付けあるいは取外しのための余分な空間は必要としない。従って、物品保管情報表示装置１２の取付けあるいは取外しの際、棚等に接触するなどのおそれもなく、作業しやすい。
以上説明した各実施形態において、表示部４２には、第１６図に示すように、コンピュータ側から送られる保管情報として物品の取り出し量など、作業を指示または確認するためのデータ（数値、文字、記号）を表示する表示器８４が設けられている。この表示器８４は視認性に優れた昭光ランプが採用されており、赤、緑、青などの色に発光させることが可能であり、こうした色の違いによる情報の識別を行なうこともできる。また、使用者側が行なうデータ入力の手段として、指示された作業が完了できなかったこと、すなわち作業の取り消しを返信するためのキャンセルスイッチ８２や、物品数量の表示を手動で増減させるためのプラスマイナスキー８３が設けられている。また、表示器８４全体をスイッチとして用いることができ、作業完了時にこの表示器８４を押すことにより、コンピュータに作業完了情報を送信可能としている。こうしたデータ入力手段を採用することによって、コンピュータ及び使用者の双方向でのデータ送信が可能になる。
こうした本実施形態の物品保管情報表示装置は、複数設けられており、コンピュータによって制御される。
次に、この一連のコンピュータ制御を第１８図に示す制御フローチャートを参照しながら具体的に説明する。
まず、初期設定によって、コンピュータによって制御される全ての接続機器の動作モードを初期値に設定する（ＳＴＥＰ．１）。
次に、物品保管情報表示装置の動作モードの設定を行なう。これは個々の表示装置における表示器のセグメント表示や、図示していないロケーションランプやブザーの状態を設定するものである。また、アンサー機能としての表示器や、キャンセルスイッチやプラスマイナスキーについて、押下した場合に有効と判断するか否かを設定したり、押下した場合の動作状況の設定を行なう（ＳＴＥＰ．２）。
また、作業中の出荷先名・コード、進捗状況などを表示するバッチディスプレイを設置した場合、このバッチディスプレイに所定のデータを表示する（ＳＴＥＰ．３）。
次に、各表示装置に対し、個別あるいはブロック別に所定の作業の指示内容を作業指示コマンドを介して送信する（ＳＴＥＰ．４）。
次に、作業指示コマンドを送信した個別あるいはブロック別の表示装置における作業進捗状況を確認する（ＳＴＥＰ．５）。
ここで、表示装置に故障や誤動作などの異常が発生しているか否かを確認し、異常がある場合は、該当する個別あるいはブロックにおけるバッチ作業の終了を確認した後、処理を一次停止して、所定の異常対応処理を行なう（ＳＴＥＰ．６）。
次に、プラスマイナスキーが作動し、表示データが変更された場合には、コンピュータにその変更された表示データを送信する（ＳＴＥＰ．７）
次に、１バッチ分の作業が完了した場合、作業完了データをコンピュータに送信し、次のバッチディスプレイコマンドの送信を待つ（ＳＴＥＰ．８）。
一方、１バッチ分の作業が完了せず、キャンセルスイッチが作動していない場合には、ＳＴＥＰ．５の表示装置の作業進捗状況を確認するステップに戻る。また、キャンセルスイッチが作動した場合には、作業取消データをコンピュータに送信すし、次のバッチディスプレイコマンドの送信を待つ（ＳＴＥＰ．９）。
以上のように、各表示装置はコンピュータによって一連の制御がなされるとともに、使用者が表示装置のスイッチやキーによって、コンピュータにデータを送信することができる。こうした双方向のデータ送信によって、信頼性の高いリアルタイムの作業支援を行なうことができる。
さらに、各実施形態の物品保管情報表示装置１０、１１、１２の設置形態としては、例えば、第１７図に示すような収納棚９０の前面９０１の棚毎に設置される。これらの表示装置１０、１１、１２に商品や部品を管理するコンピュータからの保管情報を表示することにより、上記したように物流作業の支援を可能とする。また、こうした作業においては、ペーパーレスを可能とするので、無駄がなく高効率の作業を実現することができる。
産業上の利用可能性
以上のように、本発明にかかる物品保管情報表示装置は、例えば、部品／商品の取り出し作業システム、部品／商品の分類作業システム、棚卸し作業システムおよび部品／商品の配膳システムなどのさまざまな形態の現場作業システムを構築するために必要となる各種デバイスとそれらをコンピュータと結ぶための作業支援ネットワークを実現するのに適している。
【図面の簡単な説明】
第１図は、本発明にかかる好ましい物品保管情報表示装置の第１の実施形態の外観を示す斜視図であり、設置状態を示す。
第２図は、第１の実施形態の表示ユニットの側面図である
第３図は、第１の実施形態の表示ユニットと配線レールとのロックが解除された状態を示す図である。
第４図は、第１の実施形態の表示ユニットが配線レールにロックされた状態を示す図である。
第５図は、第４図のＣ−Ｃ断面図である。
第６図は、第４図のＡ−Ａ断面図である。
第７図は、第４図のＢ−Ｂ断面図である。
第８図は、本発明にかかる好ましい物品保管情報表示装置の第２の実施形態の外観を示す斜視図であり、設置状態を示す。
第９図は、第２の実施形態の表示ユニットが配線レールにロックされた状態を示す図である。
第１０図は、第２の実施形態の表示ユニットと配線レールとのロックが解除された状態を示す図である。
第１１図（ａ）は第９図のＡ−Ａ断面図であり、同図（ｂ）は第９図のＢ−Ｂ断面図であり、同図（ｃ）は第９図のＣ−Ｃ断面図である。
第１２図は、本発明にかかる好ましい物品保管情報表示装置の第３の実施形態の外観を示す斜視図であり、設置状態を示す。
第１３図は、第１２図のＡ−Ａ断面図であり、同図（ａ）は配線レールからのロックが解除された状態、同図（ｂ）は配線レールにロックされた状態を示す。
第１４図は、第１２図のＢ−Ｂ断面図であり、ロックされた状態の図である。
第１５図は、第１２図のＣ−Ｃ断面図であり、同図（ａ）は配線レールからのロックが解除された状態、同図（ｂ）は配線レールにロックされた状態を示す。
第１６図は、本発明にかかる物品保管情報表示装置の表示ユニットの変形例を示す図である。
第１７図は、本発明にかかる情報表示装置が収納棚の前面に設置された状態を示す斜視図である。
第１８図は、本発明にかかる情報表示装置の制御フローチャートである。
【図１】
2003020085.tif 000003
【図２】
2003020085.tif 000004
【図３】
2003020085.tif 000005
【図４】
2003020085.tif 000006
【図５】
2003020085.tif 000007
【図６】
2003020085.tif 000008
【図７】
2003020085.tif 000009
【図８】
2003020085.tif 000010
【図９】
2003020085.tif 000011
【図１０】
2003020085.tif 000012
【図１１】
2003020085.tif 000013
【図１２】
2003020085.tif 000014
【図１３】
2003020085.tif 000015
【図１４】
2003020085.tif 000016
【図１５】
2003020085.tif 000017
【図１６】
2003020085.tif 000018
【図１７】
2003020085.tif 000019
【図１８】
2003020085.tif 000020
【国際調査報告】
2003020085.tif 000021
2003020085.tif 000022